【事件の表示】
　特許第３２７７４９３号「情報入力装置および方法、並びに情報処理装置」の請求項１ないし７に係る特許に対する特許異議の申立てについて、次のとおり決定する。
【結　論】
　訂正を認める。
　特許第３２７７４９３号の請求項１ないし７に係る特許を維持する。
【理　由】
１．訂正の適否
　（１）訂正請求に対する補正の適否
　平成１５年５月８日付けの補正は、訂正明細書の、訂正の際に増加した請求項を削除し、該削除と訂正請求書の記載を整合させるものであるから、訂正請求書の要旨を変更するものではない。したがって、上記補正は特許法第１２０条の４第３項において準用する同法１３１条第２項の規定に適合する。
　
　（２）訂正の内容
　ａ−１．特許請求の範囲の請求項１に、「【請求項１】　繰り返しの単位である単位情報ごとに繰り返し行われるスケジュールを複数作成する情報入力装置において、
　前記単位情報ごとに前記スケジュールを作成できる複数のモードを有し、前記モードを選択する選択手段と、
　前記選択手段により前記モードを選択したとき、前記モードごとに対応した時間情報を入力することができるように表示を切り替える入力表示切替手段と、
　前記入力表示切替手段により表示された前記時間情報を入力する表示に所望の情報を入力し、前記情報に基づいて前記単位情報ごとに展開した複数の前記スケジュールを発生する発生手段と
　を備えることを特徴とする情報入力装置。
」とあるのを、
　「【請求項１】 　繰り返しの単位である単位情報ごとに繰り返し行われるスケジュールを複数作成する情報入力装置において、
　前記単位情報ごとに前記スケジュールを複数作成するための複数のモードを有し、前記モードを選択可能とする選択手段と、
　前記モードごとに、所定の日がスケジュール発生の対象日であるか否かを判定するための条件を設定するための専用の判定条件設定表示を行う条件設定表示手段と、
　前記選択手段により前記モードが選択されたとき、選択される前の前記モードにおける前記判定条件設定表示から、選択された前記モードで前記条件を設定するのに必要な前記判定条件設定表示に切り替える入力表示切替手段と、
　前記入力表示切替手段により表示された前記判定条件設定表示に所望の情報が入力されたとき、前記情報に基づいて前記単位情報ごとに展開した複数の前記スケジュールを発生する発生手段と
　を備えることを特徴とする情報入力装置。」と訂正する。
　ａ‐２．特許請求の範囲の請求項４に、「【請求項４】　前記単位情報は、日単位、週単位または月単位であり、
　前記モードは、前記日単位で繰り返し行われる前記時間情報を含む前記情報を入力する第１のモード、前記週単位で繰り返し行われる前記時間情報を含む前記情報を入力する第２のモード、および前記月単位で繰り返し行われる前記時間情報を含む前記情報を入力する第３のモードを有する
　ことを特徴とする請求項１に記載の情報入力装置。」とあるのを、
　「【請求項４】　前記単位情報は、日単位、週単位または月単位であり、
　前記モードは、前記日単位で繰り返し行われる前記スケジュールを複数作成するための前記条件を設定する第１のモード、前記週単位で繰り返し行われる前記スケジュールを複数作成するための前記条件を設定する第２のモード、および前記月単位で繰り返し行われる前記スケジュールを複数作成するための前記条件を設定する第３のモードを有する
　ことを特徴とする請求項１に記載の情報入力装置。」と訂正する。
　ａ‐３．特許請求の範囲の請求項６に、「【請求項６】　繰り返しの単位である単位情報ごとに繰り返し行われるスケジュールを複数作成する情報入力装置の情報入力方法において、
　前記単位情報ごとに前記スケジュールを作成できる複数のモードを有し、前記モードを選択する選択ステップと、
　前記選択ステップの処理により前記モードを選択したとき、前記モードごとに対応した時間情報を入力することができるように表示を切り替える入力表示切替ステップと、
　前記入力表示切替ステップの処理により表示された前記時間情報を入力する表示に所望の情報を入力し、前記情報に基づいて前記単位情報ごとに展開した複数の前記スケジュールを発生する発生ステップと
　を含むことを特徴とする情報入力方法。」とあるのを、
　「【請求項６】　 繰り返しの単位である単位情報ごとに繰り返し行われるスケジュールを複数作成する情報入力装置の情報入力方法において、
　前記単位情報ごとに前記スケジュールを複数作成するための複数のモードを有し、前記モードを選択可能とする選択ステップと、
　前記モードごとに、所定の日がスケジュール発生の対象日であるか否かを判定するための条件を設定するための専用の判定条件設定表示を行う条件設定表示ステップと、
　前記選択ステップの処理により前記モードが選択されたとき、選択される前の前記モードにおける前記判定条件設定表示から、選択された前記モードで前記条件を設定するのに必要な前記判定条件設定表示に切り替える入力表示切替ステップと、
　前記入力表示切替ステップの処理により表示された前記判定条件設定表示に所望の情報が入力されたとき、前記情報に基づいて前記単位情報ごとに展開した複数の前記スケジュールを発生する発生ステップと
　を含むことを特徴とする情報入力方法。」と訂正する。
　ａ‐４．特許請求の範囲の請求項７に、「【請求項７】　繰り返しの単位である単位情報ごとに繰り返し行われるスケジュールを複数作成する情報処理装置において、
　前記単位情報ごとに前記スケジュールを作成できる複数のモードを有し、前記モードを選択する選択手段と、
　前記選択手段により前記モードを選択したとき、前記モードごとに対応した時間情報を入力することができるように表示を切り替える入力表示切替手段と、
　前記入力表示切替手段により表示された前記時間情報を入力する表示に所望の情報を入力し、前記情報に基づいて前記単位情報ごとに展開した複数の前記スケジュールを発生する発生手段と
を備えることを特徴とする情報処理装置。」とあるのを、
　「【請求項７】　 繰り返しの単位である単位情報ごとに繰り返し行われるスケジュールを複数作成する情報処理装置において、
　前記単位情報ごとに前記スケジュールを複数作成するための複数のモードを有し、前記モードを選択可能とする選択手段と、
　前記モードごとに、所定の日がスケジュール発生の対象日であるか否かを判定するための条件を設定するための専用の判定条件設定表示を行う条件設定表示手段と、
　前記選択手段により前記モードが選択されたとき、選択される前の前記モードにおける前記判定条件設定表示から、選択された前記モードで前記条件を設定するのに必要な前記判定条件設定表示に切り替える入力表示切替手段と、
　前記入力表示切替手段により表示された前記判定条件設定表示に所望の情報が入力されたとき、前記情報に基づいて前記単位情報ごとに展開した複数の前記スケジュールを発生する発生手段と
　を備えることを特徴とする情報処理装置。」と訂正する。
　ｂ．明細書の番号７の段落に、「【課題を解決するための手段】
　本発明の情報入力装置は、単位情報ごとにスケジュールを作成できる複数のモードを有し、モードを選択する選択手段と、選択手段によりモードを選択したとき、モードごとに対応した時間情報を入力することができるように表示を切り替える入力表示切替手段と、入力表示切替手段により表示された時間情報を入力する表示に所望の情報を入力し、情報に基づいて単位情報ごとに展開した複数のスケジュールを発生する発生手段とを備えることを特徴とする。
　発生手段により発生するスケジュールの発生有効期限を指定する指定手段をさらに備え、発生手段は、指定手段により指定された発生有効期限に基づいて、発生有効期限まで、単位情報ごとに展開した複数のスケジュールを発生するようにすることができる。
　計時動作を行う計時手段と、計時手段が出力する今日の日付に基づいて、スケジュールを発生させる先の期日を指定する第２の指定手段とをさらに備え、発生手段は、第２の指定手段により指定された先の期日に基づいて、発生有効期限までを限度として、先の期日までの単位情報ごとに展開した複数のスケジュールを発生するようにすることができる。
　単位情報は、日単位、週単位または月単位であり、モードは、日単位で繰り返し行われる時間情報を含む情報を入力する第１のモード、週単位で繰り返し行われる時間情報を含む情報を入力する第２のモード、および月単位で繰り返し行われる時間情報を含む情報を入力する第３のモードを有するようにすることができる。
　発生手段は、電源がオンされるたび、発生有効期限に達するまでの期間、今日の日付から先の期日までのスケジュールを、順次発生させるようにすることができる。」とあるのを、
　「【課題を解決するための手段】
　本発明の情報入力装置は、単位情報ごとにスケジュールを複数作成するための複数のモードを有し、モードを選択可能とする選択手段と、モードごとに、所定の日がスケジュール発生の対象日であるか否かを判定するための条件を設定するための専用の判定条件設定表示を行う条件設定表示手段と、選択手段によりモードが選択されたとき、選択される前のモードにおける判定条件設定表示から、選択されたモードで条件を設定するのに必要な判定条件設定表示に切り替える入力表示切替手段と、入力表示切替手段により表示された判定条件設定表示に所望の情報が入力されたとき、情報に基づいて単位情報ごとに展開した複数のスケジュールを発生する発生手段とを備えることを特徴とする。
　発生手段により発生するスケジュールの発生有効期限を指定する指定手段をさらに備え、発生手段は、指定手段により指定された発生有効期限に基づいて、発生有効期限まで、単位情報ごとに展開した複数のスケジュールを発生するようにすることができる。
　計時動作を行う計時手段と、計時手段が出力する今日の日付に基づいて、スケジュールを発生させる先の期日を指定する第２の指定手段とをさらに備え、発生手段は、第２の指定手段により指定された先の期日に基づいて、発生有効期限までを限度として、先の期日までの単位情報ごとに展開した複数のスケジュールを発生するようにすることができる。
　単位情報は、日単位、週単位または月単位であり、モードは、日単位で繰り返し行われるスケジュールを複数作成するための条件を設定する第１のモード、週単位で繰り返し行われるスケジュールを複数作成するための条件を設定する第２のモード、および月単位で繰り返し行われるスケジュールを複数作成するための条件を設定する第３のモードを有するようにすることができる。
　発生手段は、電源がオンされるたび、発生有効期限に達するまでの期間、今日の日付から先の期日までのスケジュールを、順次発生させるようにすることができる。」と訂正する。
　ｃ．明細書の番号８の段落に、「本発明の情報入力方法は、単位情報ごとにスケジュールを作成できる複数のモードを有し、モードを選択する選択ステップと、選択ステップの処理によりモードを選択したとき、モードごとに対応した時間情報を入力することができるように表示を切り替える入力表示切替ステップと、入力表示切替ステップの処理により表示された時間情報を入力する表示に所望の情報を入力し、情報に基づいて単位情報ごとに展開した複数のスケジュールを発生する発生ステップとを含むことを特徴とする。」とあるのを、
　「本発明の情報入力方法は、単位情報ごとにスケジュールを複数作成するための複数のモードを有し、モードを選択可能とする選択ステップと、モードごとに、所定の日がスケジュール発生の対象日であるか否かを判定するための条件を設定するための専用の判定条件設定表示を行う条件設定表示ステップと、選択ステップの処理によりモードが選択されたとき、選択される前のモードにおける判定条件設定表示から、選択されたモードで条件を設定するのに必要な判定条件設定表示に切り替える入力表示切替ステップと、入力表示切替ステップの処理により表示された判定条件設定表示に所望の情報が入力されたとき、情報に基づいて単位情報ごとに展開した複数のスケジュールを発生する発生ステップとを含むことを特徴とする。」と訂正する。
　ｄ．明細書の番号９の段落に、「本発明の情報処理装置は、単位情報ごとにスケジュールを作成できる複数のモードを有し、モードを選択する選択手段と、選択手段によりモードを選択したとき、モードごとに対応した時間情報を入力することができるように表示を切り替える入力表示切替手段と、入力表示切替手段により表示された時間情報を入力する表示に所望の情報を入力し、情報に基づいて単位情報ごとに展開した複数のスケジュールを発生する発生手段とを備えることを特徴とする。」とあるのを、
　「本発明の情報処理装置は、単位情報ごとにスケジュールを複数作成するための複数のモードを有し、モードを選択可能とする選択手段と、モードごとに、所定の日がスケジュール発生の対象日であるか否かを判定するための条件を設定するための専用の判定条件設定表示を行う条件設定表示手段と、選択手段によりモードが選択されたとき、選択される前のモードにおける判定条件設定表示から、選択されたモードで条件を設定するのに必要な判定条件設定表示に切り替える入力表示切替手段と、入力表示切替手段により表示された判定条件設定表示に所望の情報が入力されたとき、情報に基づいて単位情報ごとに展開した複数のスケジュールを発生する発生手段とを備えることを特徴とする。」と訂正する。
　ｅ．明細書の番号１０の段落に、「【作用】
　本発明の情報入力装置および方法、並びに情報処理装置においては、選択されたモードごとに対応した時間情報を入力することができるように表示が切り替えられ、表示された時間情報を入力する表示に所望の情報が入力され、情報に基づいて単位情報ごとに展開した複数のスケジュールが発生される。」とあるのを、　「【作用】
　本発明の情報入力装置および方法、並びに情報処理装置においては、選択される前のモードにおける判定条件設定表示から、選択されたモードで条件を設定するのに必要な判定条件設定表示に切り替えられ、表示された判定条件設定表示に所望の情報が入力されたとき、情報に基づいて単位情報ごとに展開した複数のスケジュールが発生される。」と訂正する。
　ｆ．明細書の番号８１の段落に、「【発明の効果】
　以上のごとく、本発明の情報入力装置および方法、並びに情報処理装置によれば、選択されたモードごとに対応した時間情報を入力することができるように表示を切り替え、表示された時間情報を入力する表示に所望の情報を入力し、情報に基づいて単位情報ごとに展開した複数のスケジュールを発生させるようにしたので、繰り返し行われるスケジュールを入力するような場合、短時間で多くの情報を個々に臨機応変に変更しながら作成することが可能になる。」とあるのを、
「【発明の効果】
　以上のごとく、本発明の情報入力装置および方法、並びに情報処理装置によれば、選択される前のモードにおける判定条件設定表示から、選択されたモードで条件を設定するのに必要な判定条件設定表示を切り替え、表示された判定条件設定表示に所望の情報を入力し、情報に基づいて単位情報ごとに展開した複数のスケジュールを発生させるようにしたので、繰り返し行われるスケジュールを入力するような場合、短時間で多くの情報を個々に臨機応変に変更しながら作成することが可能になる。」と訂正する。
　ｇ．明細書の番号７３の段落の第４行目「またスイッチ９９は、図１９における場合と同様の機能を果たす。」を、「またボタン９９は、図１９における場合と同様の機能を果たす。」と訂正する。
　
　（３）訂正の目的の適否、新規事項の有無及び拡張・変更の存否
　（イ）訂正事項ａ−１．について
　訂正事項ａ−１．の「前記単位情報ごとに前記スケジュールを作成できる複数のモードを有し」を、「前記単位情報ごとに前記スケジュールを複数作成するための複数のモードを有し」とする訂正は、スケジュールを複数作成するできるように減縮するものであり、
　「前記モードを選択する選択手段と」を、「前記モードを選択可能とする選択手段と」とする訂正は、明りょうでない記載の釈明であり、
　「前記選択手段により前記モードを選択したとき、前記モードごとに対応した時間情報を入力することができるように表示を切り替える入力表示切替手段」を、「前記モードごとに、所定の日がスケジュール発生の対象日であるか否かを判定するための条件を設定するための専用の判定条件設定表示を行う条件設定表示手段と、前記選択手段により前記モードが選択されたとき、選択される前の前記モードにおける前記判定条件設定表示から、選択された前記モードで前記条件を設定するのに必要な前記判定条件設定表示に切り替える入力表示切替手段」とする訂正は、「前記モードを選択したとき」を「前記モードが選択されたとき」と、明りょうでない記載を釈明し、「前記モードごとに対応した時間情報を入力することができるよう」な表示が、条件設定表示手段により実現される点で減縮し、「前記モードごとに対応した時間情報」を「所定の日がスケジュール発生の対象日であるか否かを判定するための条件」に減縮するものであり、
　「前記入力表示切替手段により表示された前記時間情報を入力する表示に所望の情報を入力し」を、「前記入力表示切替手段により表示された前記判定条件設定表示に所望の情報が入力されたとき」とする訂正は、「入力表示切替手段」について「前記選択手段により前記モードが選択されたとき、選択される前の前記モードにおける前記判定条件設定表示から、選択された前記モードで前記条件を設定するのに必要な前記判定条件設定表示に切り替える入力表示切替手段」と訂正したことに伴って記載を整合させ、「情報を入力し」を「情報が入力されたとき」と明りょうでない記載を釈明するものであるから、明りょうでない記載の釈明を目的とするものである。
　したがって訂正事項ａ−１．は特許請求の範囲の減縮と明りょうでない記載の釈明を目的とするものである。
　また、該訂正事項は、願書に添付した明細書又は図面に記載した事項の範囲内であり、実質上特許請求の範囲を拡張し、又は変更するものでもない。
　（ロ）訂正事項ａ−２．について
　訂正事項ａ−２．は日単位、週単位、月単位の時間情報を、各々、「前記スケジュールを複数作成するための前記条件」に減縮するものであるから、特許請求の範囲の減縮を目的とするものである。また、該訂正事項は、願書に添付した明細書又は図面に記載した事項の範囲内であり、実質上特許請求の範囲を拡張し、又は変更するものでもない。
　（ハ）訂正事項ａ−３．について
　訂正事項ａ−３．の訂正内容は実質的に訂正事項ａ−１．と同様の訂正であるから、特許請求の範囲の減縮と明りょうでない記載の釈明を目的とするものであり、願書に添付した明細書又は図面に記載した事項の範囲内であり、実質上特許請求の範囲を拡張し、又は変更するものでもない。
　（ニ）訂正事項ａ−４．について
　訂正事項ａ−４．の訂正内容は実質的に訂正事項ａ−１．と同様の訂正であるから、特許請求の範囲の減縮と明りょうでない記載の釈明を目的とするものであり、願書に添付した明細書又は図面に記載した事項の範囲内であり、実質上特許請求の範囲を拡張し、又は変更するものでもない。
　（ホ）訂正事項ｂ．ないしｆ．について
　訂正事項ｂ．ないしｆ．は、上記訂正事項ａ−１．ないしａ−４．による訂正にともなって発明の詳細な説明の記載を整合させるものであって、明りょうでない記載の釈明を目的としたものであり、願書に添付した明細書又は図面に記載した事項の範囲内であり、実質上特許請求の範囲を拡張し、又は変更するものでもない。
　（ヘ）訂正事項ｇ．について
　訂正事項ｇ．は明細書第７３段落の「スイッチ９９」を「ボタン９９」と訂正するものである。そして、明細書第７２段落、第７４段落には「ボタン９９」と記載されているのだから、訂正事項ｇ．は誤記の訂正を目的とするものである。また、該訂正事項は、願書に添付した明細書又は図面に記載した事項の範囲内であり、実質上特許請求の範囲を拡張し、又は変更するものでもない。
　したがって訂正事項ａ．ないしｇ．は、特許法第１２０条の４第２項及び同条第３項で準用する第１２６条第２項及び第３項の規定に適合するものである。
　よって上記訂正を認める。
　
２．異議申立てについての判断
（１）本件発明
　上記の通り、訂正は認められるから本件特許の請求項１ないし請求項７に係る発明は、訂正明細書の特許請求の範囲１ないし７に記載された事項により特定されるとおりのものである。（以下、本件特許の請求項１に係る発明を、「本件発明１」という。）
　
（２）取消理由で引用された刊行物に記載された発明
　当審が通知した取消理由通知に引用された刊行物は以下のとおりである。
刊行物１　特開昭６２−２２１７２号公報
刊行物２　特開昭６３−１１３６６４号公報
刊行物３　特開平２−３００９６７号公報
刊行物４　特開昭６２−１４３１６９号公報
刊行物５　特開昭６２−１４３１７０号公報
刊行物６　特開平１−９４４７４号公報
刊行物７　特開昭６２−１２７９６４号公報
刊行物８　特開昭５４−１３５５７１号公報
（刊行物１ないし刊行物７は、各々特許異議申立書の甲第１号証ないし甲第７号証である。）
　上記刊行物１には、スケジュール機能付き電子装置に関して、以下の事項が記載されている。
　（イ）「スケジュールの内容として毎週同一曜日に同一の項目を書込まなければならない場合が多々あり、上記入力方法では、該当するすべての日の月日あるいは年月日を指定し、何度も同一項目を書込んでいかなければならず非常に不便である。」（第１ページ右欄第１行目ないし第５行目。）
　（ロ）「しかしながら、後になって月曜日のうちある特定の日だけ同一項目の内容を変更したいという場合、この従来例では、変更したい日だけを指定してその同一項目を読み出してその書換えを行うといったことはできないため対応できないという欠点があった。」（第１ページ右欄第１８行目ないし第２ページ左上欄第３行目。）
　（ハ）「本発明は、上記従来例の欠点を除去するものであり、毎週同一日の同一項目を簡単に入力でき、かつ、入力した後は、任意の月日あるいは年月日を指定して入力した項目と全く同様に読み出し・書換えができるようにして利便性を高くすることを目的とするものである。」（第２ページ左上欄第５行目ないし第１０行目。）
　（ニ）「第２図は本実施例においてスケジュール入力する日を指定する際に表示部４に表示される情報を示している。第２図において、表示されている内容はカレンダーであり、７は表示されているカレンダーの年月を示す年月表示部、８は曜日表示部、９は日にち表示部、１０はスケジュール入力する日を決定するためのカーソル表示である。」（第２ページ右上欄第１３行目ないし第１９行目。）
　（ホ）「また、制御部５であらかじめ定められた特定のキーであるスケジュール書込みモードキーをキー入力部３から入力することにより、カーソルが指している曜日または日にちに関するスケジュール内容を書込むためのモードであるスケジュール書込みモードへ移行することができる。例えば、毎週月曜日に同一の項目をスケジュール入力したい場合は、カーソル移動キーで第２図Ａに示すように”Ｍｏ”の位置にカーソル１０を移動させてスケジュール書込みモードキーを入力することにより、スケジュール書込みモードとなる。この場合のスケジュール書込み例を表示部４のようすにより示したのが第３図である。第３図Ａはスケジュール書込みモードになった直後の表示である。」（第２ページ左下欄第５行目ないし第１９行目。）
　（ヘ）「ここで、キー入力部３からの入力により第３図Ｂに示すようにスケジュールが書込まれた後、スケジュールの書込み終了を指示するキーが入力されると、すべての該当日に関し、スケジュール記憶領域のメモリ番地を求めてスケジュールの項目の追加登録を行う。この場合のスケジュール記憶領域のようすを示したのが第４図であり、第４図Ａは同一項目が入力される以前のスケジュール記憶領域、第４図Ｂは第３図Ｂに示した同一項目が入力された以後のスケジュール記憶領域である。」（第２ページ右下欄第９行目ないし第１９行目。）
　（ト）「この後、例えば、カーソル移動キーで第２図Ｂに示すように”２０”の位置にカーソル１０を移動させてスケジュール書込みモードキーを入力することにより、表示されている月の２０日すなわち５月２０日のスケジュール書込みモードになり、キー入力部３からの入力によりスケジュール内容を書込んでいくことができる。この場合のスケジュール書込み例を表示部４のようすにより示したのが第５図である。第５図Ａはスケジュール書込みモードになった直後の表示である。」（第２ページ右下欄第２０行目ないし第３ページ左上欄第９行目。）
　（チ）「（発明の効果）　本発明は上記のような構成であり、以下に示す効果が得られるものである。　（ａ）毎週同一曜日に登録したいスケジュールは、曜日を指定することにより簡単に入力することができる。　（ｂ）一旦、（ａ）で登録したスケジュールは、任意の月日を指定して登録したスケジュールと全く同様に読出し・書換えができるので利便性が高い。」（第３ページ右上欄第４行目ないし第１２行目。）
（３）対比・判断
（３−１）対比
　本件発明１と刊行物１に記載された発明とを対比する。刊行物１の記載（ヘ）及び第３図Ｂの「１７：００」という記載は、書き込まれたスケジュールには時間情報が含まれていることを示しており、また、本件発明１の「所定の日がスケジュール発生の対象日であるか否かを判定するための条件」も一種の時間情報といえるから、両者はスケジュールの時間情報を入力することができるように表示を切り替える点では一致している。したがって両者は、
　「繰り返しの単位である単位情報ごとに繰り返し行われるスケジュールを複数作成する情報入力装置において、
　前記単位情報ごとに前記スケジュールを作成するためのモードを有し、
　モードを選択可能とする選択手段と、
　前記選択手段により前記モードが選択されたとき、スケジュールの時間情報を入力することができるように表示を切り替える入力表示切替手段と、
　前記入力表示切替手段により表示された前記時間情報を入力する表示に所望の情報が入力されたとき、前記情報に基づいて前記単位情報ごとに展開した複数の前記スケジュールを発生する発生手段とを備えることを特徴とする情報入力装置。」である点一致するが、先ず次の点で両者は相違する。
　（相違点）
　本件発明１は、単位情報ごとにスケジュールを複数作成するための複数のモードごとに、所定の日がスケジュール発生の対象日であるか否かを判定するための条件を設定するための専用の判定条件設定表示を行う条件設定表示手段を有するのに対し、刊行物１に記載された発明には、スケジュールを作成できるモードを選択したときにスケジュールの時間情報を入力することができるのみである点。
（３−２）判断
　上記相違点について検討する。
　刊行物１に記載された発明には、スケジュールの時間情報を入力することは開示されているが、単位情報ごとにスケジュールを複数作成するための複数のモードごとに、所定の日がスケジュール発生の対象日であるか否かを判定するための条件を設定するための専用の判定条件設定表示を行う条件設定表示手段については記載も示唆もされていない。また、刊行物２ないし刊行物８の記載を検討しても、該条件設定表示手段を開示又は示唆する記載は認められない。
　したがって、本件発明１と刊行物１に記載された発明との、他の相違点についての検討、判断をするまでもなく、本件発明１は、前記の各刊行物に記載された発明に基づいて当業者が容易に発明をすることができたものとすることはできない。
　
（３−３）他の請求項に係る発明
　請求項２ないし請求項５に係る発明は、本件発明１を直接的あるいは間接的に引用し、本件発明１を更に限定するものである。したがって請求項２ないし請求項５に係る発明は、各刊行物に基づいて当業者が容易に発明をすることができたものとすることはできない。
　請求項６に係る発明は、本件発明１を方法の発明として実現したものであるから上記の検討、判断があてはまり、各刊行物に基づいて当業者が容易に発明をすることができたものとすることはできない。
　請求項７に係る発明は、本件発明１と同様条件設定表示手段を有しているから、上記の検討、判断があてはまり、各刊行物に基づいて当業者が容易に発明をすることができたものとすることはできない。　
　したがって請求項２ないし請求項７に係る発明は、本件発明１と同様各刊行物に基づいて当業者が容易に発明をすることができたものとすることはできない。
　
４．むすび
　以上のとおりであるから、特許異議申立ての理由及び証拠並びに当審で通知した取消理由によっては、本件発明についての特許を取り消すことはできない。
　よって結論のとおり決定する。
【異議決定日】
平成１５年５月２９日（２００３．５．２９）
【訂正の要旨】
　ａ−１．特許請求の範囲の請求項１に、「【請求項１】　繰り返しの単位である単位情報ごとに繰り返し行われるスケジュールを複数作成する情報入力装置において、
　前記単位情報ごとに前記スケジュールを作成できる複数のモードを有し、前記モードを選択する選択手段と、
　前記選択手段により前記モードを選択したとき、前記モードごとに対応した時間情報を入力することができるように表示を切り替える入力表示切替手段と、
　前記入力表示切替手段により表示された前記時間情報を入力する表示に所望の情報を入力し、前記情報に基づいて前記単位情報ごとに展開した複数の前記スケジュールを発生する発生手段と
　を備えることを特徴とする情報入力装置。
」とあるのを、
　「【請求項１】　繰り返しの単位である単位情報ごとに繰り返し行われるスケジュールを複数作成する情報入力装置において、
　前記単位情報ごとに前記スケジュールを
複数
するための
可能と
　
前記モードごとに、所定の日がスケジュール発生の対象日であるか否かを判定するための条件を設定するための専用の判定条件設定表示を行う条件設定表示手段と、
　前記選択手段により前記モード
が選択された
選択される前の前記モードにおける前記判定条件設定表示から、選択された
で前記条件を設定するのに必要な前記判定条件設定表示に
　前記入力表示切替手段により表示された
前記判定条件設定表示
が
されたとき
　を備えることを特徴とする情報入力装置。」と訂正する。
　ａ−２．特許請求の範囲の請求項４に、「【請求項４】　前記単位情報は、日単位、週単位または月単位であり、
　前記モードは、前記日単位で繰り返し行われる前記時間情報を含む前記情報を入力する第１のモード、前記週単位で繰り返し行われる前記時間情報を含む前記情報を入力する第２のモード、および前記月単位で繰り返し行われる前記時間情報を含む前記情報を入力する第３のモードを有する
　ことを特徴とする請求項１に記載の情報入力装置。」とあるのを、
　「【請求項４】　前記単位情報は、日単位、週単位または月単位であり、
　前記モードは、前記日単位で繰り返し行われる
前記スケジュールを複数作成するための前記条件を設定する
前記スケジュールを複数作成するための前記条件を設定する
前記スケジュールを複数作成するための前記条件を設定する
　ことを特徴とする請求項１に記載の情報入力装置。」と訂正する。
　ａ−３．特許請求の範囲の請求項６に、「【請求項６】　繰り返しの単位である単位情報ごとに繰り返し行われるスケジュールを複数作成する情報入力装置の情報入力方法において、
　前記単位情報ごとに前記スケジュールを作成できる複数のモードを有し、前記モードを選択する選択ステップと、
　前記選択ステップの処理により前記モードを選択したとき、前記モードごとに対応した時間情報を入力することができるように表示を切り替える入力表示切替ステップと、
　前記入力表示切替ステップの処理により表示された前記時間情報を入力する表示に所望の情報を入力し、前記情報に基づいて前記単位情報ごとに展開した複数の前記スケジュールを発生する発生ステップと
　を含むことを特徴とする情報入力方法。」とあるのを、
　「【請求項６】　繰り返しの単位である単位情報ごとに繰り返し行われるスケジュールを複数作成する情報入力装置の情報入力方法において、
　前記単位情報ごとに前記スケジュールを
複数
するための
可能と
　
前記モードごとに、所定の日がスケジュール発生の対象日であるか否かを判定するための条件を設定するための専用の判定条件設定表示を行う条件設定表示ステップと、
　前記選択ステップの処理により前記モード
が選択された
選択される前の前記モードにおける前記判定条件設定表示から、選択された
で前記条件を設定するのに必要な前記判定条件設定表示に
　前記入力表示切替ステップの処理により表示された
前記判定条件設定表示
が
されたとき
　を含むことを特徴とする情報入力方法。」と訂正する。
　ａ−４．特許請求の範囲の請求項７に、「【請求項７】　繰り返しの単位である単位情報ごとに繰り返し行われるスケジュールを複数作成する情報処理装置において、
　前記単位情報ごとに前記スケジュールを作成できる複数のモードを有し、前記モードを選択する選択手段と、
　前記選択手段により前記モードを選択したとき、前記モードごとに対応した時間情報を入力することができるように表示を切り替える入力表示切替手段と、
　前記入力表示切替手段により表示された前記時間情報を入力する表示に所望の情報を入力し、前記情報に基づいて前記単位情報ごとに展開した複数の前記スケジュールを発生する発生手段と
　を備えることを特徴とする情報処理装置。」とあるのを、
　「【請求項７】　繰り返しの単位である単位情報ごとに繰り返し行われるスケジュールを複数作成する情報処理装置において、
　前記単位情報ごとに前記スケジュールを
複数
するための
可能と
　
前記モードごとに、所定の日がスケジュール発生の対象日であるか否かを判定するための条件を設定するための専用の判定条件設定表示を行う条件設定表示手段と、
　前記選択手段により前記モード
が選択された
選択される前の前記モードにおける前記判定条件設定表示から、選択された
で前記条件を設定するのに必要な前記判定条件設定表示に
　前記入力表示切替手段により表示された
前記判定条件設定表示
が
されたとき
　を備えることを特徴とする情報処理装置。」と訂正する。
　ｂ．特許請求の範囲の記載と発明の詳細な説明の記載との整合をとるため、明りょうでない記載の釈明を目的として、明細書の番号７の段落に、「【課題を解決するための手段】
　本発明の情報入力装置は、単位情報ごとにスケジュールを作成できる複数のモードを有し、モードを選択する選択手段と、選択手段によりモードを選択したとき、モードごとに対応した時間情報を入力することができるように表示を切り替える入力表示切替手段と、入力表示切替手段により表示された時間情報を入力する表示に所望の情報を入力し、情報に基づいて単位情報ごとに展開した複数のスケジュールを発生する発生手段とを備えることを特徴とする。
　発生手段により発生するスケジュールの発生有効期限を指定する指定手段をさらに備え、発生手段は、指定手段により指定された発生有効期限に基づいて、発生有効期限まで、単位情報ごとに展開した複数のスケジュールを発生するようにすることができる。
　計時動作を行う計時手段と、計時手段が出力する今日の日付に基づいて、スケジュールを発生させる先の期日を指定する第２の指定手段とをさらに備え、発生手段は、第２の指定手段により指定された先の期日に基づいて、発生有効期限までを限度として、先の期日までの単位情報ごとに展開した複数のスケジュールを発生するようにすることができる。
　単位情報は、日単位、週単位または月単位であり、モードは、日単位で繰り返し行われる時間情報を含む情報を入力する第１のモード、週単位で繰り返し行われる時間情報を含む情報を入力する第２のモード、および月単位で繰り返し行われる時間情報を含む情報を入力する第３のモードを有するようにすることができる。
　発生手段は、電源がオンされるたび、発生有効期限に達するまでの期間、今日の日付から先の期日までのスケジュールを、順次発生させるようにすることができる。」とあるのを、
　「【課題を解決するための手段】
　本発明の情報入力装置は、単位情報ごとにスケジュールを
複数
するための
可能と
モードごとに、所定の日がスケジュール発生の対象日であるか否かを判定するための条件を設定するための専用の判定条件設定表示を行う条件設定表示手段と、
が選択された
選択される前のモードにおける判定条件設定表示から、選択された
で条件を設定するのに必要な判定条件設定表示に
判定条件設定表示
が
されたとき
　発生手段により発生するスケジュールの発生有効期限を指定する指定手段をさらに備え、発生手段は、指定手段により指定された発生有効期限に基づいて、発生有効期限まで、単位情報ごとに展開した複数のスケジュールを発生するようにすることができる。
　計時動作を行う計時手段と、計時手段が出力する今日の日付に基づいて、スケジュールを発生させる先の期日を指定する第２の指定手段とをさらに備え、発生手段は、第２の指定手段により指定された先の期日に基づいて、発生有効期限までを限度として、先の期日までの単位情報ごとに展開した複数のスケジュールを発生するようにすることができる。
　単位情報は、日単位、週単位または月単位であり、モードは、日単位で繰り返し行われる
スケジュールを複数作成するための条件を設定する
スケジュールを複数作成するための条件を設定する
スケジュールを複数作成するための条件を設定する
　発生手段は、電源がオンされるたび、発生有効期限に達するまでの期間、今日の日付から先の期日までのスケジュールを、順次発生させるようにすることができる。」と訂正する。
　ｃ．特許請求の範囲の記載と発明の詳細な説明の記載との整合をとるため、明りょうでない記載の釈明を目的として、明細書の番号８の段落に、「本発明の情報入力方法は、単位情報ごとにスケジュールを作成できる複数のモードを有し、モードを選択する選択ステップと、選択ステップの処理によりモードを選択したとき、モードごとに対応した時間情報を入力することができるように表示を切り替える入力表示切替ステップと、入力表示切替ステップの処理により表示された時間情報を入力する表示に所望の情報を入力し、情報に基づいて単位情報ごとに展開した複数のスケジュールを発生する発生ステップとを含むことを特徴とする。」とあるのを、
　「本発明の情報入力方法は、単位情報ごとにスケジュールを
複数
するための
可能と
モードごとに、所定の日がスケジュール発生の対象日であるか否かを判定するための条件を設定するための専用の判定条件設定表示を行う条件設定表示ステップと、
が選択された
選択される前のモードにおける判定条件設定表示から、選択された
で条件を設定するのに必要な判定条件設定表示に
判定条件設定表示
が
されたとき
　ｄ．特許請求の範囲の記載と発明の詳細な説明の記載との整合をとるため、明りょうでない記載の釈明を目的として、明細書の番号９の段落に、「本発明の情報処理装置は、単位情報ごとにスケジュールを作成できる複数のモードを有し、モードを選択する選択手段と、選択手段によりモードを選択したとき、モードごとに対応した時間情報を入力することができるように表示を切り替える入力表示切替手段と、入力表示切替手段により表示された時間情報を入力する表示に所望の情報を入力し、情報に基づいて単位情報ごとに展開した複数のスケジュールを発生する発生手段とを備えることを特徴とする。」とあるのを、
　「本発明の情報処理装置は、単位情報ごとにスケジュールを
複数
するための
可能と
モードごとに、所定の日がスケジュール発生の対象日であるか否かを判定するための条件を設定するための専用の判定条件設定表示を行う条件設定表示手段と、
が選択された
選択される前のモードにおける判定条件設定表示から、選択された
で条件を設定するのに必要な判定条件設定表示に
判定条件設定表示
が
されたとき
　ｅ．特許請求の範囲の記載と発明の詳細な説明の記載との整合をとるため、明りょうでない記載の釈明を目的として、明細書の番号１０の段落に、「【作用】
　本発明の情報入力装置および方法、並びに情報処理装置においては、選択されたモードごとに対応した時間情報を入力することができるように表示が切り替えられ、表示された時間情報を入力する表示に所望の情報が入力され、情報に基づいて単位情報ごとに展開した複数のスケジュールが発生される。」とあるのを、
　「【作用】
　本発明の情報入力装置および方法、並びに情報処理装置においては、
選択される前のモードにおける判定条件設定表示から、選択された
で条件を設定するのに必要な判定条件設定表示に
判定条件設定表示
が
されたとき
　ｆ．特許請求の範囲の記載と発明の詳細な説明の記載との整合をとるため、明りょうでない記載の釈明を目的として、明細書の番号８１の段落に、「【発明の効果】
　以上のごとく、本発明の情報入力装置および方法、並びに情報処理装置によれば、選択されたモードごとに対応した時間情報を入力することができるように表示を切り替え、表示された時間情報を入力する表示に所望の情報を入力し、情報に基づいて単位情報ごとに展開した複数のスケジュールを発生させるようにしたので、繰り返し行われるスケジュールを入力するような場合、短時間で多くの情報を個々に臨機応変に変更しながら作成することが可能になる。」とあるのを、
　「【発明の効果】
　以上のごとく、本発明の情報入力装置および方法、並びに情報処理装置によれば、
選択される前のモードにおける判定条件設定表示から、選択された
で条件を設定するのに必要な判定条件設定表示
判定条件設定表示
　ｇ．誤記の訂正を目的として、明細書の番号７３の段落の第４行目「またスイッチ９９は、図１９における場合と同様の機能を果たす。」を、「また
ボタン
（５４）【発明の名称】
情報入力装置および方法、並びに情報処理装置
（５７）【特許請求の範囲】
　【請求項１】　繰り返しの単位である単位情報ごとに繰り返し行われるスケジュールを複数作成する情報入力装置において、
　前記単位情報ごとに前記スケジュールを
複数
するための
可能と
　
前記モードごとに、所定の日がスケジュール発生の対象日であるか否かを判定するための条件を設定するための専用の判定条件設定表示を行う条件設定表示手段と、
　前記選択手段により前記モード
が選択された
選択される前の前記モードにおける前記判定条件設定表示から、選択された
で前記条件を設定するのに必要な前記判定条件設定表示に
　前記入力表示切替手段により表示された
前記判定条件設定表示
が
されたとき
　を備えることを特徴とする情報入力装置。
　【請求項２】　前記発生手段により発生する前記スケジュールの発生有効期限を指定する指定手段をさらに備え、
　前記発生手段は、前記指定手段により指定された前記発生有効期限に基づいて、前記発生有効期限まで、前記単位情報ごとに展開した複数の前記スケジュールを発生する
　ことを特徴とする請求項１に記載の情報入力装置。
　【請求項３】　計時動作を行う計時手段と、
　前記計時手段が出力する今日の日付に基づいて、前記スケジュールを発生させる先の期日を指定する第２の指定手段と
　をさらに備え、
　前記発生手段は、前記第２の指定手段により指定された前記先の期日に基づいて、前記発生有効期限までを限度として、前記先の期日までの前記単位情報ごとに展開した複数の前記スケジュールを発生する
　ことを特徴とする請求項２に記載の情報入力装置。
　【請求項４】　前記単位情報は、日単位、週単位または月単位であり、
　前記モードは、前記日単位で繰り返し行われる
前記スケジュールを複数作成するための前記条件を設定する
前記スケジュールを複数作成するための前記条件を設定する
前記スケジュールを複数作成するための前記条件を設定する
　ことを特徴とする請求項１に記載の情報入力装置。
　【請求項５】　前記発生手段は、電源がオンされるたび、前記発生有効期限に達するまでの期間、前記今日の日付から前記先の期日までのスケジュールを、順次発生させる
　ことを特徴とする請求項３に記載の情報入力装置。
　【請求項６】　繰り返しの単位である単位情報ごとに繰り返し行われるスケジュールを複数作成する情報入力装置の情報入力方法において、
　前記単位情報ごとに前記スケジュールを
複数
するための
可能と
　
前記モードごとに、所定の日がスケジュール発生の対象日であるか否かを判定するための条件を設定するための専用の判定条件設定表示を行う条件設定表示ステップと、
　前記選択ステップの処理により前記モード
が選択された
選択される前の前記モードにおける前記判定条件設定表示から、選択された
で前記条件を設定するのに必要な前記判定条件設定表示に
　前記入力表示切替ステップの処理により表示された
前記判定条件設定表示
が
されたとき
　を含むことを特徴とする情報入力方法。
　【請求項７】　繰り返しの単位である単位情報ごとに繰り返し行われるスケジュールを複数作成する情報処理装置において、
　前記単位情報ごとに前記スケジュールを
複数
するための
可能と
　
前記モードごとに、所定の日がスケジュール発生の対象日であるか否かを判定するための条件を設定するための専用の判定条件設定表示を行う条件設定表示手段と、
　前記選択手段により前記モード
が選択された
選択される前の前記モードにおける前記判定条件設定表示から、選択された
で前記条件を設定するのに必要な前記判定条件設定表示に
　前記入力表示切替手段により表示された
前記判定条件設定表示
が
されたとき
　を備えることを特徴とする情報処理装置。
【発明の詳細な説明】
　【０００１】
　【産業上の利用分野】
　本発明は、電子手帳装置（ポータブルコンピュータ）に用いて、好適な情報入力装置および方法、並びに情報処理装置に関する。
　【０００２】
　【従来の技術】
　電子手帳装置においては、スケジュールを入力しそれを一覧表示することが出来るようになっている。これにより、所定の日に、所定の時刻に行われる様々な種類のスケジュールを管理することが出来る。例えば１月９日、午後２時から午後３時まで会議があるとか、２月３日から２月４日まで大阪に出張であるとか、といった個々のスケジュールを書き込み、これを日、週、または月単位で一覧で（複数のスケジュールを一度に）見ることが出来る。
　【０００３】
　【発明が解決しようとする課題】
　ところでスケジュールの中には、毎日、毎週、あるいは毎月、繰り返し行われる性質のものもある。例えば、毎週月曜日、午前９時から午前９時３０分まで朝礼がある、といったスケジュールである。従来、このような繰り返し行われるスケジュールは、使用者が毎週月曜日にあたる具体的な日付をカレンダー等により確認し、その日付の予定として、同じような内容のスケジュールを必要な分だけ作成していた。しかしながら、このような方法によると、日付だけが変更され、他の内容は同一のスケジュールを何回も作成しなければならず、効率が悪く不便であった。
　【０００４】
　そこで、例えば「毎週」というボタンを設け、このボタンを操作すると共に、例えば午前９時から午前９時３０分までのスケジュールを入力すると、この入力自体は１回で済むのであるが、これを例えば月間のスケジュールとして一覧表示させると、その表示欄には毎週月曜日の９時から９時３０分に朝礼があることを、自動的に表示させるようにしたものもある。
　【０００５】
　しかしながら、このような方法による場合、例えばいつもは午前９時から９時３０分までの間であるが、来週だけは１０時から１０時３０分に変更するとかいった、臨時に変更される場合のスケジュールを管理することが困難となる。
　【０００６】
　本発明は、このような状況に鑑みてなされたものであり、毎日、毎週、あるいは毎月のように繰り返し行われるスケジュールを、簡単に入力することが出来るようにすると共に、臨時に変更された場合の管理も出来るようにするものである。
　【０００７】
　【課題を解決するための手段】
　本発明の情報入力装置は、単位情報ごとにスケジュールを
複数
するための
可能と
モードごとに、所定の日がスケジュール発生の対象日であるか否かを判定するための条件を設定するための専用の判定条件設定表示を行う条件設定表示手段と、
が選択された
選択される前のモードにおける判定条件設定表示から、選択された
で条件を設定するのに必要な判定条件設定表示に
判定条件設定表示
が
されたとき
　発生手段により発生するスケジュールの発生有効期限を指定する指定手段をさらに備え、発生手段は、指定手段により指定された発生有効期限に基づいて、発生有効期限まで、単位情報ごとに展開した複数のスケジュールを発生するようにすることができる。
　計時動作を行う計時手段と、計時手段が出力する今日の日付に基づいて、スケジュールを発生させる先の期日を指定する第２の指定手段とをさらに備え、発生手段は、第２の指定手段により指定された先の期日に基づいて、発生有効期限までを限度として、先の期日までの単位情報ごとに展開した複数のスケジュールを発生するようにすることができる。
　単位情報は、日単位、週単位または月単位であり、モードは、日単位で繰り返し行われる
スケジュールを複数作成するための条件を設定する
スケジュールを複数作成するための条件を設定する
スケジュールを複数作成するための条件を設定する
　発生手段は、電源がオンされるたび、発生有効期限に達するまでの期間、今日の日付から先の期日までのスケジュールを、順次発生させるようにすることができる。
　【０００８】
　本発明の情報入力方法は、単位情報ごとにスケジュールを
複数
するための
可能と
モードごとに、所定の日がスケジュール発生の対象日であるか否かを判定するための条件を設定するための専用の判定条件設定表示を行う条件設定表示ステップと、
が選択された
選択される前のモードにおける判定条件設定表示から、選択された
で条件を設定するのに必要な判定条件設定表示に
判定条件設定表示
が
されたとき
　【０００９】
　本発明の情報処理装置は、単位情報ごとにスケジュールを
複数
するための
可能と
モードごとに、所定の日がスケジュール発生の対象日であるか否かを判定するための条件を設定するための専用の判定条件設定表示を行う条件設定表示手段と、
が選択された
選択される前のモードにおける判定条件設定表示から、選択された
で条件を設定するのに必要な判定条件設定表示に
判定条件設定表示
が
されたとき
　【００１０】
　【作用】
　本発明の情報入力装置および方法、並びに情報処理装置においては、
選択される前のモードにおける判定条件設定表示から、選択された
で条件を設定するのに必要な判定条件設定表示に
判定条件設定表示
が
されたとき
　【００１３】
　【実施例】
　図１は、本発明の情報入力装置を電子手帳装置（ポータブルコンピュータ）に応用した場合の一実施例の構成を示す斜視図である。本体１には電源スイッチ２が設けられ、装置を使用するときオンされ、使用を中止するときオフされる。電源スイッチ２の左隣には画面８の輝度（後述するＬＣＤ２２の輝度）を調整する輝度調整スイッチ３が設けられている。また、本体１の側部にはケース４が設けられている。このケース４には、先端にスイッチ７を有し、コード５を介して本体１と接続されているペン６が非使用時に収容される。このペン６は、ケース４から取り出した状態においては本体１の上方部に水平に形成された溝１０に配置することができるようになっている。この溝１０の左側部には、スピーカ９が設けられ、所定の音が出力されるようになっている。
　【００１４】
　本体１の右側上部には２つのスイッチ１１、１２が設けられている。スイッチ１１は後述するバックライトの明るさを例えば２段階に切換える切換スイッチであり、スイッチ１２はスピーカ９から出力される音の音量を、例えば３段階に切換える音量切換スイッチである。本体１の左側側部に設けられたスイッチ１３は、所定の動作を途中で停止させるとき（例えば放音中の音を停止させるとき）操作される停止スイッチである。本体１の左側部にはまたメモリ（ＩＣ）カード７０（図５参照）が装着されるソケット１４が配置されている。本体１の後側部にはソケット１５が設けられている。また、本体１の後側部のバッテリ１９を装着するバッテリ装着部１ａの内部にもソケット１６が設けられている。これらのソケット１５、１６には、例えばＲＳ２３２Ｃのケーブルやモデム、その他のアダプタ等が接続されるようになっている。さらに本体１の左側部上方には、ＡＣアダプタ１７の接続端子１８が設けられている。
　【００１５】
　図２は、画面８の、より詳細な構成例を示している。この実施例においては、タブレット２１（Ｘ軸方向の位置を検出するタブレット２１ａとＹ軸方向の位置を検出するタブレット２１ｂ）が一番上に設けられている。このタブレット２１の下方には、ＬＣＤ２２が設けられている。このＬＣＤ２２は、上下に設けられたガラス板２２ａ，２２ｂと、その中間に挿入された液晶２３により構成されている。ＬＣＤ２２の下方には、蛍光板（ＥＬ）２６が配置されている。このバックライトとしての蛍光板２６が光を発生すると、その光がＬＣＤ２２を照明する。タブレット２１ａ，２１ｂは、透明な部材により形成されているため、液晶２３に表示された画像が図中上方より観察される。プリント基板（ＰＣＢ）２５には、図示せぬ部品が装填されており、ゴムコネクタ２４を介してＬＣＤ２２と電気的に接続されている。また、導電性フィルム２７によりタブレット２１とも電気的に接続されている。
　【００１６】
　図３は、蛍光板２６の、より詳細な構成例を示している。この実施例においては、電極３１と発光部（他方の電極）３２との間に絶縁フィルム３３が配置されている。電極３１と発光部３２の間に所定の電圧をかけることにより、発光部３２が発光する。電極３１と発光部３２は、板状に形成されており、画面８を均一に照射することが可能である。
　【００１７】
　バックライトとしては、この他蛍光管を用いることも可能である。また、蛍光管をサイドライトとして本体の側部に設け、その光を光伝達部材によりＬＣＤ２２の後部に伝達し、照明できるようにすることも可能である。
　【００１８】
　図４は、タブレットによる位置検出とＬＣＤによる表示の原理を示す回路図である。タブレット２１はＸ軸方向に、例えば５１２本の電極を有しており、Ｙ軸方向に３４２本の電極を有している。これにより、５１２×３４２画素を検出することが可能となる。タブレットコントローラ４６は、クロック発生回路４５ａを制御し、３４２本の電極１本１本に順次所定の電圧を印加する。次に、クロック発生回路４５ｂが制御され、５１２本の電極に順次電圧が印加される。すなわち、クロック発生回路４５ａとクロック発生回路４５ｂが発生するクロックによりタブレット２１がスキャンされている。ペン６をタブレット２１上の所定の位置に近づけると、タブレット２１とペン６との間に所定の静電容量が形成される。そして、ペン６をタブレット２１に押圧したとき、ペン６の先端のスイッチ７がオンするのでペン６とタブレット２１上の所定の電極との間に発生した電荷が検出され、アンプ４７を介してタブレットコントローラ４６に供給される。タブレットコントローラ４６はクロック発生回路４５ａと４５ｂのクロック発生タイミングを管理しているので、ペン６から供給された検出信号とクロックの発生タイミングとからタブレット２１上のペン６による押圧位置を検出することができる。タブレットコントローラ４６は、このようにして検出したペン６による操作座標をＣＰＵ４１に供給する。ＣＰＵ４１は、ペン６がタブレット２１を押圧し、スイッチ７がオンした（ペンダウンした）位置と、タブレット２１から離れ、スイッチ７がオフした（ペンアップした）位置を常に監視している。そして、ペンダウンで入力を受け付け、ペンアップで入力を確定する。
　【００１９】
　一方、ＣＰＵ４１はＬＣＤコントローラ４３を制御し、メモリ（Ｖ−ＲＡＭ）４４に表示すべき画像に対応するデータを書き込む。ＬＣＤコントローラ４３は、メモリ４４からデータを読み出し、データに対応する信号を駆動回路４２ｂに供給する。ＬＣＤ２２は、タブレット２１に対応して水平方向に５１２本の電極を有し、垂直方向に３４２本の電極を有している。駆動回路４２ａは、３４２本の電極に１本ずつ順次所定の電圧を印加する。また、駆動回路４２ｂは、５１２本の電極に画像データに対応する電圧を順次印加する。このようにして、ＬＣＤ２２上の各画素がスキャンされ、ＬＣＤ２２上に所定の画像が表示されることになる。
　【００２０】
　図５は、本体１のより詳細な電気的構成を示している。ＣＰＵ４１は、バスライン５７を介して各種のＩＣなどと接続されている。ＲＯＭ５１は、装置全体のシステムプログラムの他、例えばワードプロセッサ機能用のカナ漢字変換プログラムおよびそのための辞書テーブル、さらに手書き入力に対する認識プログラムおよびそのための辞書テーブルなどが書き込まれている。ワーキング用ＲＡＭ５２には、動作上必要なデータが随時記憶される。バックアップ用ＲＡＭ５３には、バックアップ用の電池５４（バッテリ１９とは別の電池）が接続されており、装置本体の電源がオフされた場合においても必要なデータをバックアップするようになっている。タイマーＩＣ５５は電池５４に接続され、水晶振動子５６からのクロックを計数して、その時点における年月日および時刻のデータを出力している。上述したＬＣＤコントローラ４３やタブレットコントローラ４６も、バスライン５７を介してＣＰＵ４１に接続されている。
　【００２１】
　音声処理回路５８は、ソケット１４乃至１６からの入力やＣＰＵ４１からの指令に対応して所定の音声信号を発生し、加算器５９に出力する。音声メモリ６１はＣＰＵ４１に制御され、予め記憶している所定の音声（例えば警告音「エッ？」）を加算器５９に出力する。加算器５９は音声処理回路５８の出力と音声メモリ６１の出力とを加算し、音声音量コントローラ６０を介してスピーカ９に出力する。音量コントローラ６０には、音量切換スイッチ１２が接続され、これを操作することにより音量を制御することができるようになっている。
　【００２２】
　蛍光板（バックライト部）２６には、電源回路６４（電源スイッチ２をオンしたとき、バッテリ１９あるいはＡＣアダプタ１７から電力が供給される）からの電力がインバータ回路６３を介して供給されている。蛍光板２６の明るさは、切換スイッチ１１を切換えることによりインバータ回路６３を介して２段階（例えば明るい部屋に適した明るさと暗い部屋に適した明るさ）に切換えることができる。また、これとは別に、輝度調整スイッチ３を制御することにより、ＬＣＤ２２の明るさを多段階に所望の値に制御することができるようになっている。スイッチ６５ａは、本体１に装着されたバッテリ１９が１次電池であるか２次電池であるかに対応してオン／オフされる。スイッチ６５ｂは、バッテリ１９の容量を検出し、その容量の大小に応じてオン／オフされる。これらのスイッチ６５ａと６５ｂ等は、電源回路６４を介してキーインタフェース６２に接続されている。キーインタフェース６２にはまた、輝度調整スイッチ３、切換スイッチ１１、停止スイッチ１３等が接続されている。キーインタフェース６２は、これらのスイッチのオン／オフに対応する信号をＣＰＵ４１に供給する。
　【００２３】
　ソケット１４には、ＩＣカード７０が接続され、ＣＰＵ４１はＩＣカードインタフェース６６を介して、そのＩＣカード７０とデータ、プログラム等の授受ができるようになっている。また、ソケット１５、１６には、アダプタ７１が接続され、拡張用インタフェース６８を介してＣＰＵ４１と接続されるようになっている。
　【００２４】
　次に図６〜図１３のフローチャートを参照して、時間情報を入力する場合と、それを表示する場合の処理について説明する。この説明にあたって、理解をより容易にするため、図１５〜図２５に示す入力表示画面の例を適宜参照するが、これらの入力表示画面の詳しい説明は、さらに後で後述する。
　【００２５】
　ＣＰＵ４１は、まず図６のステップＳ１において、毎週、毎月のアイコン「マイシュウ」８２ｂ（図１５）が引き出されたか否かを判定する。アイコン８２ｂが、引き出されていない時は、ステップＳ２に進み、その他の処理を実行する。毎週のアイコン８２ｂが入力表示領域８３（図１５）に引き出された時、ステップＳ３に進み、毎週のアイコン８２ｂを入力表示領域８３でウインドウ８２ｂｗとして拡大表示させる（図１６）。この時、毎日、毎週、毎月１、毎月２の各ボタン９４ａ〜９４ｄのうち、毎週のボタン９４ｂが選択された状態を初期状態として表示させる。次にステップＳ４に進み、拡大表示されたウインドウ８２ｂｗのカテゴリー表示領域９１ａ、用件表示領域９１ｂ、依頼者名表示領域９１ｄ等に、活字プレート１１１（図１７）から所定の文字等が書き込まれたか否かが判定される。
　【００２６】
　書き込まれた場合、ステップＳ５に進み、活字プレート１１１から書き込まれた文字を、これらの領域に表示させる（図１７）。活字プレート１１１から文字等が記入されていなければ、ステップＳ６に進み、日週間ボタン９３ａ、月間ボタン９３ｂ、年間ボタン９３ｃ、チェックリストボタン１０３、アイデアリストボタン１０４、重要ボタン１０２ａ、緊急ボタン１０２ｂ等にペン６によりタッチがあったか否かが判定される。ペンタッチがあった場合においては、ステップＳ７に進み、これらのボタンの直前の値を変更する。すなわち、直前の値がオンになっていればこれをオフにし、オフになっていればこれをオンにする。これらのボタンの機能については、後述する。
　【００２７】
　ステップＳ６において、ペンタッチがなかったと判定された場合、次にステップＳ８に進み、予鈴の時間を設定するボタン９６ａ、その音種を選択するボタン９６ｂ、本鈴の音種を設定するボタン９８ｂ、終鈴の音種を設定するボタン１０１ｂ、開始時刻を設定するボタン９７ｃ、９７ｄ、９７ｅ、終了時刻を設定するボタン１００ａ、１００ｂ、１００ｃ等がタッチされたか否かが判定される。これらのボタンがタッチされた時、ステップＳ９に進む。ステップＳ９において、これらのボタンに対応する処理が行われる。
　【００２８】
　例えば、ボタン９６ａを操作すると、領域９５ａに表示される予鈴の設定時間（分）が５、１０、１５、２０、３０、６０、９０、１２０、１８０、「空白」の順に順次変更される。この変更方向はボタン９６ａの下を向いた矢印で表示されるボタンを触るか、右側の上を向いた矢印で表示されたボタンを触るかによって逆となる。領域９５ｂに表示される予鈴の種類は「お時間です」、チャイム、鐘、「次の会議です」、「空白」、の順にそれぞれ変更される。この変更方向はボタン９６ｂの左側を操作するか、右側を操作するかによって逆となる。このことは領域９８ａに表示される本鈴の種類をボタン９８ｂにより操作選択する時、また領域１０１ａに表示される終鈴の種類をボタン１０１ｂにより操作選択する場合においても同様である。
　【００２９】
　開始時刻と終了時刻を設定するボタン９７ｃを操作すると、時間が午前０時から午後１１時までと、不特定モードであることを示す不特定マーク「−−」の２５通りに変化する。このことは、終了時刻を設定するボタン１００ａを操作した場合についても同様である。また、開始時刻の分を設定するボタン９７ｄを操作すると、分が００から５９までと、不特定モードであることを示す不特定マーク「−−」の６１通りに変化する。このことは、終了時刻の分を設定するボタン１００ｂを操作した場合についても同様である。ボタン９７ｅ、または１００ｃを操作すると、開始時刻の分または終了時刻の分が、それぞれ１５分単位で１５、３０、４５、００のいずれかにそれぞれ順次変更される。
　【００３０】
　ステップＳ８において、ペンタッチがなされていないと判定された場合においては、ステップＳ１０に進み、毎日のボタン９４ａがタッチされたか否かが判定される。ボタン９４ａがペン６によりタッチされた場合、ステップＳ１１に進み、ウインドウ８２ｂｗの領域９１ｃの各種のボタンを、「毎日」のスケジュールを表示するのに必要なボタン群のみの表示に変更する（図１８）。ステップＳ１０で、ボタン９４ａがタッチされていないと判定された場合においては、ステップＳ１２に進み、ボタン９４ａが選択され、「毎日」のモードが設定されている状態で、「毎日」のモード専用のボタンがタッチされているか否かが判定される。
　【００３１】
　すなわち、「毎日」のボタン９４ａが操作され、ステップＳ１１で領域９１ｃの表示が「毎日」のモードに変更されると、ステップＳ１０においては、もはやボタン９４ａのペン６によるタッチは終了しているので、ステップＳ１２に進み、このステップＳ１２で「毎日」のモードにおける状態が判定されるのである。「毎日」のモードで、専用ボタンがタッチされていると判定された場合においてはステップＳ１３に進み、ボタン９７ａａがタッチされたか否かが判定される。このボタン９７ａａがタッチされた場合においては、ボタン９７ａａの上に表示されている表示が「休日はいつも」、「毎日」、「平日はいつも」または「休日はいつも」の順で順次切り替えられる。
　【００３２】
　ステップＳ１２において、「毎日」の専用ボタンがタッチされていないと判定された場合においては、ステップＳ１５に進み、「毎週」のボタン９４ｂがペン６によりタッチされているか否かが判定される。ボタン９４ｂがタッチされた場合においては、ステップＳ１６に進み、ウインドウ８２ｂｗの領域９１ｃの表示が「毎週」のモードの表示に切り替えられる（図１９）。ステップＳ１５において、ボタン９４ｂがタッチされていないと判定された場合（タッチ操作がすでに終了している場合を含む）、ステップＳ１７に進み、毎週モードにおける専用ボタンがタッチされているか否かが判定される。その専用ボタンがタッチされていると判定された場合、ステップＳ１８に進み、ボタン９７ａがタッチされたか否かが判定される。ボタン９７ａがタッチされた場合においてはステップＳ１９に進み、ボタン９７ａの上の表示を「毎週」または「隔週」の表示に順次切り替える。このボタン９７ａは毎週のモードにおいては、「毎週」と「隔週」の切り替えのためのボタンとなるが、上述したように、「毎日」のモードにおいては「休日はいつも」、「毎日」、「平日はいつも」または「休日はいつも」の切り替えを行うボタン９７ａａになる。
　【００３３】
　ボタン９７ａがタッチされていない場合、ステップＳ２０に進み、ボタン９９がタッチされたか否かが判定される。ボタン９９がタッチされた場合においてはステップＳ２１に進み、ボタン９９の上の表示が「空白」、「休日なら前の日」、「休日なら次の日」の順で表示が切り替えられる。ボタン９９がタッチされていない場合においては、曜日のボタン９７ｂがタッチされたか否かが判定され、タッチされた場合においてはステップＳ２３に進み、ボタン９７ｂの上の表示を月、火、水、木、金、土、日の順で順次切り替える。
　【００３４】
　ステップＳ１７において、「毎週」のモードにおいて、その専用のボタンがタッチされていないと判定された場合においてはステップＳ２４に進み、毎月１のボタン９４ｃ（図２０）がタッチされたか否かが判定され、タッチされた場合においてはステップＳ２５に進み、毎月１のモードに必要なボタンが領域９１ｃに表示される（図２０）。
　【００３５】
　ステップＳ２４において、ボタン９４ｃがタッチされていないと判定された場合、ステップＳ２６に進み、毎月１のモードにおいて、その専用ボタンがタッチされているか否かが判定される。その専用ボタンが判定されている場合においては、ステップＳ２７に進み、ボタン９９がタッチされたか否かが判定される。ボタン９９がタッチされた場合においては、ステップＳ２８に進み、「空白」、「休日なら前の日」または「休日なら次の日」のいずれかが順次切り替え表示される。このことは、毎週モード（図１９）における、ステップＳ２０およびＳ２１における処理と同様である。ステップＳ２７において、ボタン９９がタッチされていないと判定された場合においては、ステップＳ２９に進み、日付変更ボタン９７ｂａがタッチされたか否かが判定される。ボタン９７ｂａがタッチされた場合においては、ステップＳ３０に進み、ボタン９７ｂａの上の表示を１、２、３、４……２９、３０、３１、「月末」の順に順次切り替える。このボタン９７ｂａは、毎週モードにおけるボタン９７ｂに対応するものであるが、毎週モードにおいては曜日を変更するものとして用いられるが、毎月１モードにおいては、日付を変更するものとして用いられる。
　【００３６】
　ステップＳ２６において、毎月１モードにおいて、専用ボタンがタッチされていないと判定された場合においてはステップＳ３１に進み、毎月２ボタン９４ｄがタッチされたか否かが判定され、タッチされた場合においてはステップＳ３２に進み、領域９１ｃのボタン群が毎月２モードのボタン群に切り替えられる（図２１）。ステップＳ３１において、毎月２ボタン９４ｄがタッチされていないと判定された場合においては、ステップＳ３３に進み、毎月２モードにおいて、その専用ボタンがタッチされているか否かが判定される。タッチされていると判定された場合においては、ステップＳ３４に進み、週の切り替えボタン９７ａｂがタッチされたか否かが判定される。ボタン９７ａｂがタッチされた場合においては、ボタン９７ａｂの上の表示が「毎月第１」、「毎月第２」、「毎月第３」、「毎月第４」、「毎月第５」、または「毎月最後の」、の表示にそれぞれ順次切り替えられる。このボタン９７ａｂは、毎日のモードにおいてはボタン９７ａａとして（図１８）、また毎週のモードにおいてはボタン９７ａとして（図１９）、それぞれ用いられていたものであり、各モードにおいて機能が異なってくるものである。
　【００３７】
　ボタン９７ａｂがタッチされていないと判定された場合においては、ステップＳ３４からステップＳ３６に進み、曜日の切り替えボタン９７ｂがタッチされたか否かが判定される。ボタン９７ｂがタッチされた場合においては、ステップＳ３７に進み、ボタン９７ｂの上の表示を月、火、水、木、金、土、日の順で順次切り替える。また、曜日のボタン９７ｂがタッチされていないと判定された場合においては、ステップＳ３８に進み、ボタン９９がタッチされたか否かが判定され、タッチされた場合においてはステップＳ３９に進み、ボタン９９の上の表示を「空白」、「休日なら前の日」または「休日なら次の日」に順次切り替える。これらのステップＳ３６〜Ｓ３９における処理は、毎週モードにおけるステップＳ２０〜Ｓ２３における処理と同様である。
　【００３８】
　ステップＳ３３において、毎月２のモードにおいて、専用ボタンがタッチされていないと判定された場合においては、ステップＳ４０に進み、ウインドウ８２ｂｗの領域９１ｅの左下に表示されている５個のボタン１０５（図１６）のいずれかがタッチされたか否かが判定される。タッチされた場合においては、ステップＳ４１に進み、タッチされたボタンを黒く反転し、以前に黒く反転表示されていたものを白い表示に戻す。これらのボタン１０５は、後述するページ（カード）をどのぐらい先の期日まで発行するかを設定するものであり、１０日、１カ月、３カ月、６カ月、１２カ月のいずれかを選択することが出来るようになっている。
　【００３９】
　ステップＳ４０において、ボタン１０５がタッチされていないと判定された場合においては、ステップＳ４２に進み、領域９１ｅのページ発生有効期限のボタン１０６ａ、１０６ｂ、１０６ｃのいずれかがタッチされたか否かが判定され、タッチされた場合においては、ステップＳ４３に進み、ボタン１０６ａ〜１０６ｃの上に表示されている表示をそれぞれ順次進めるか、あるいは遅らせる。このボタン１０６ａ〜１０６ｃにより設定される年月日はページ発生有効期限を示すものであり、この期限より前の期日のページのみが発行されることになる。
　【００４０】
　次に、ステップＳ４２において、ボタン１０６ａ〜１０６ｃがタッチされていないと判定された場合においてはステップＳ４４に進み、作成ボタン１０７ａがタッチされたか否かが判定される。ボタン１０７ａがタッチされた場合においてはステップＳ４５に進み、ウインドウ８２ｂｗ内に表示されているすべての情報をバックアップＲＡＭ５３にすべて記憶させる。次に、ＣＰＵ４１はステップＳ４６に進み、今日の日付をバックアップＲＡＭ５３のカレントデイという名称の領域にセットさせる。さらにステップＳ４７に進み、カレントデイにセットした日付がステップＳ４３で設定したページ発生有効期限を超えているか否かを判定する。上述したように、このページ発生有効期限はページ発生の絶対期限を示すものであり、この期限より後のページは発生させる必要がない。そこで、カレントデイがページ発生有効期限を超えている場合においては、ステップＳ４８に進み、カレントデイに終了マークを記憶させた後、さらにステップＳ４９に進み、ウインドウ８２ｂｗの消去ボタン１０７ｂを使用可能状態にする。ボタン１０７ｂを操作すると、ウインドウ８２ｂｗに書き込んだデータが消去されることになる。そして、次にステップＳ５０に進み、ウインドウ８２ｂｗの右上上方に表示されているボタン９２ａと９２ｂを使用可能にする。これにより、ウインドウ８２ｂｗが複数ある時、前後のページのウインドウを選択することが出来る。
　【００４１】
　ステップＳ４７において、カレントデイがページ発生有効期限を超えていないと判定された場合においては、ステップＳ５１に進み、カレントデイがスケジュールデータを発生させるべき日かどうかを確認する。そしてステップＳ５２において、スケジュール発生の対象日か否かを判定し、対象日であればステップＳ５３に進み、バックアップＲＡＭ５３のスケジュール機能領域にカレントデイの日付で、ウインドウ８２ｂｗに書き込んだ情報をそのままコピーしたページを作成する。これにより、ウインドウ８２ｂｗで設定したカテゴリー、用件名、予鈴、本鈴、終鈴等の設定状態、依頼者名その他の情報が毎日、毎週、毎月１、または毎月２のモードで、例えば毎週月曜日等のように相対的に設定された時間情報が、具体的な日付に変換されて記録される。
　【００４２】
　カレントデイがスケジュール発生の対象日でない場合は、ステップＳ５２からステップＳ５４に進み、カレントデイが１日だけ進められる。次に、ステップＳ５５において、１日進めたカレントデイと今日の日付との差がボタン１０５で設定した発生先行期間を超えたか否かが判定され、超えていなければステップＳ４７に戻り、それ以降の処理が繰り返し実行される。すなわち、このようにして、カレントデイが１日ずつインクリメントされ、相対的日付を具体的な日付に直して対象日の数だけページが作成されることになる。
　【００４３】
　例えば、毎週月曜日の予定をウインドウ８２ｂｗで設定すると、その発生先行期間が、例えば３カ月と設定されている時、１ヵ月を約４週とすると、１ヵ月に４枚のページが作成され、それが今日の日付から３カ月分作成されるので、合計１４枚のページが作成されることになる。各ページはそれぞれ、具体的なカレンダーに基づいた月曜日の日付が設定されていることは言うまでもない。ＣＰＵ４１はＩＣタイマ５５の出力をモニタし、この相対的に指定された日を絶対的な日に変更するのである。そして、発生先行期間がページ発生有効期限を超えた場合においては、その期限を超えた日付のページは作成しないものとなる。
　【００４４】
　ステップＳ５５において、今日の日付とカレントデイの日付の差が発生先行期間を超えたと判定された場合においては、ステップＳ４９に戻り、それ以降の処理が実行されることになる。
　【００４５】
　一方、ステップＳ４４において、作成ボタン１０７ａがタッチされていないと判定された場合においては、ステップＳ５６に進み、消去ボタン１０７ｂがタッチされたか否かが判定される。タッチされた場合においては、ステップＳ５７に進み、消去ボタン１０７ｂが使用可能状態であるか否か判定され、使用可能状態であれば、ステップＳ５８に進み、ウインドウ８２ｂｗの書き込んだデータを消去して、すべて初期状態に復帰させる。そして、さらにステップＳ５９に進み、取消ボタン１０７ｃを使用可能状態にし、消去ボタン１０７ｂを使用不能状態にする。使用可能状態のボタンは明瞭に表示されるが、使用不能状態のボタンは、その表示が不明瞭に表示される。これにより、使用者はそのボタンが使用可能であるか否かを判定することが出来る。
　【００４６】
　ステップＳ５６において、消去ボタン１０７ｂがタッチされていないと判定された場合においては、ステップＳ６０に進み、取消ボタン１０７ｃがタッチされたか否か判定される。取り消しボタン１０７ｃがタッチされた場合においては、ステップＳ６１に進み、取消ボタン１０７ｃが使用可能状態であるか否か判定され、使用可能状態である場合、ステップＳ６２に進み、消去ボタン１０７ｂを操作した結果、消去された文字列を元に戻し、すなわち消去ボタン１０７ｂが操作される前の状態に表示を戻すことになる。すなわちこの取消ボタン１０７ｃを操作すると、その前の操作（消去ボタン１０７ｂの操作）が取り消されることになる。そして、さらにステップＳ６３に進み、取消ボタン１０７ｃを使用不能状態にする。
　【００４７】
　ステップＳ６０において、取消ボタン１０７ｃがタッチされていないと判定された場合、ステップＳ６４に進み、ウインドウ８２ｂｗのページめくりボタン９２ａ、または９２ｂがペン６によりタッチされたか否かが判定され、タッチされた場合においては、ステップＳ６５に進み、ページめくりボタン９２ａ、９２ｂが使用可能状態か否か判定される。使用可能状態である場合、ステップＳ６６に進み、ボタン９２ａが操作された場合であれば、ウインドウ８２ｂｗの次のページ（以前作成したウインドウ）に進めるようにし、逆にボタン９２ｂがタッチされた場合においては、より新しいウインドウが表れるように、表示を切り替える。
　【００４８】
　そして、ステップＳ６４において、ボタン９２ａ、９２ｂが操作されていないと判定された場合においては、ステップＳ６７に進み、ウインドウ８２ｂｗがアイコン表示領域８１に収容されたか否かが判定され、収容されたら処理を終了する。収容されていなければ、ステップＳ４に戻り、それ以降の処理を繰り返し実行することになる。
　【００４９】
　なお、ここでステップＳ５２におけるカレントデイと対象日との判定について説明しておくと、タイマＩＣ５５が常時計時動作を行っており、ＣＰＵ４１はその出力から現在の日付、および時刻を知ることができる。さらに過去、および将来の、実用的に十分な範囲のカレンダを持っていることになる。このデータを基にして判定を行うのであるが、例えば休日の判定は使用者が設定した日を休日として判定している。すなわち、アイコン表示領域８１に表示されている、アイコン「カレンダ」８２ｃにペン６でペンダウンし、このアイコン８２ｃを入力表示領域８３にドラッグし、入力表示領域８３でペンアップすると、入力表示領域８３上に、カレンダのウインドウが拡大表示される（図示せず）。使用者はここにおいて、いずれを休日とするかを任意に設定することが可能となっている。ＣＰＵ４１は、このように設定された日を休日として処理する。また、月末という表現も、具体的な各月において、何日が月末であるのかはＩＣタイマ５５が出力するカレンダを見て、ＣＰＵ４１が判定することが可能である。同様に、毎月第１〜第５のような、相対的に指定された日が実際のカレンダにおいては何日になるのかは、容易に判定することが出来る。毎月最後の日曜日といったような相対的な日の具体的な日付も同様に処理することが可能である。
　【００５０】
　以上のようにして、「マイシュウ」のアイコン８２ｂを用いて、繰り返し行われるスケジュールを１ページだけ作成すると、ページ発生有効期限を超えない範囲において、発生先行期間で指定した期間分の枚数のページが自動的に作成されることになるのであるが、日付が進行すると、発生先行期間の期限日が変化するのでこのデータも更新しなければならない。この実施例においては、装置の電源がオンされるたびに、この更新動作を実行するようになされている。次に、この更新動作について図１３のフローチャートを参照して説明する。
　【００５１】
　まず、ステップＳ８１において、電源スイッチ２がオンされたか否かが判定され、オンされた場合、ステップＳ８２に進み、バックアップＲＡＭ５３のカレントデイの内容が、終了マーク（ステップＳ４８において設定される）であるか否かが判定される。終了マークが設定されている場合、すでにページ発生有効期限を過ぎているのであるから、これ以上は新しいスケジュールを作成する必要はない。従って、ここで処理は終了する。カレントデイの内容が終了マークでない場合、ステップＳ８３に進み、カレントデイの日付がページ発生有効期限を超えているか否か判定される。ページ発生有効期限を超えていなければ、ステップＳ８５に進み、カレントデイの日付がスケジュール発生の対象日か否か判定する。カレントデイの日付がスケジュール発生の対象日であれば、ステップＳ８６に進み、上述したステップＳ５３における場合と同様に、カレントデイの日付で、カテゴリー、用件名等の文字列、各ボタンの状態、予鈴、本鈴、終鈴等の時刻、あるいは音種等、そのままコピーしたものを作成する。
　【００５２】
　カレントデイの日付がスケジュール発生の対象日でない場合、あるいはステップＳ８６において、新たなページを作成した後、ステップＳ８７に進み、カレントデイの日付が今日の日付より前か否か判定する。カレントデイの日付が今日の日付より後であれば（将来であれば）、ステップＳ８９に進み、カレントデイと今日の日付との差が発生先行期間を超えたか否か判定する。発生先行期間を超えていなければ、ステップＳ８８に進み、カレントデイの日付を１日進める。そして、さらにステップＳ８３に戻り、それ以降の処理を繰り返し実行する。すなわち、このルートにより、将来のスケジュールが作成されることになる。
　【００５３】
　一方、ステップＳ８７において、カレントデイの日付が今日の日付より前と判定された場合、ステップＳ８８に進み、それ以降の処理を実行する。すなわち、これにより、以前に使用してから、発生先行期間で指定した期間を経過するまで、装置を１度も用いなかった場合に、時間の経過に伴う新しいページが作成されないことになるので、この過去のページを作成することになる。このような過去のページは、作成しないようにすることも可能であるが、実施例のように作成しておくことにより、過去の記録としてこれを保持しておくことが可能となる。ステップＳ８９において、カレントデイと今日の日付の差が発生先行期間を超えた場合、必要最小限の新たなページを作成したことになるので、そこで処理は終了する。また、ステップＳ８３において、メモリのカレントデイの日付がページ発生有効期限を超えた場合においては、ステップＳ８４に進み、カレントデイに終了マークを記録した後、処理を終了する。
　【００５４】
　図２６は、以上のようにして作成されたウインドウと、それに基づいて作成されたページとの対応関係を説明するための模式的図である。例えば、ウインドウＷａにおいて、毎週木曜日ごとに行われる会議をスケジュールとして記録した場合、その発生先行期間として３カ月を指定すると、作成した日付Ａから３カ月先の日までの日のうち、木曜日の日付を持った日のページＡ１〜Ａｍが作成されることになる。次に、使用者がウインドウＷｂを用いて、毎日、休日を除く日に会社に出社することを予定として書き込み、発生先行期間として１カ月を指定すると、これを作成した日付Ｂから１カ月先の日までの、休日を除く日付を持ったページＢ１〜Ｂｎが作成されることになる。次に、使用者がウインドウＷｃを用いて、毎月第３木曜日に行われる会議を、発生先行期間を１２カ月として記録したとすると、記録した日付Ｃから１２カ月先までの、第３木曜日の具体的な日付を持ったページがＣ１からＣｓまで、複数枚作成されることになる。
　【００５５】
　ウインドウＷａ、Ｗｂ、Ｗｃはそれぞれ連続したものとなっており、ウインドウ内のボタン９２ａ、または９２ｂを操作することにより、次のページに進んだり、元のページに戻ったりすることが出来るようになっている。同様に、作成されたページＡ１〜Ａｍは、ひとまとまりの連続したページとなっている。ページＢ１〜Ｂｎ、またＣ１〜Ｃｓも同様である。従って、使用者はこのようにして繰り返し行われるスケジュールを１枚作成すると、自動的に日付のみが変更された、それに対応するページが作成されるので、例外的な取り扱いが行われる日がある場合においては、その日のスケジュールだけを変更するようにすればよいことになる。新しく作成されたページＡ１〜Ｃｓは、入力表示領域８３上に表示されているボタン１１２ａ、または１１２ｂをペン６でタッチすることにより、次のページに進めたり、前のページに戻したりすることが可能である。ウインドウＷａ〜Ｗｃは、それぞれに対応するページＡ〜Ｃを作成した後、不要となる。そこで、もしこのウインドウＷａ〜Ｗｃを消去したければ、消去ボタン１０７ｂをタッチすればよいことは、上述した通りである。
　【００５６】
　また、上述したように、例えばページＡ１〜Ａｍは作成日から発生先行期間分だけ作成されるのであるが、時間の経過と共に、この発生先行期間も順次、先に伸びることになるので、電源がオンされるたびに新たなページが順次作成される結果となる。従って、このページはページ発生有効期限に達するまで、順次増加されることになる。
　【００５７】
　図１４は、この関係を説明するものである。すなわち、１月１日が火曜日であるとして、毎週火曜日に会議があるという予定を発生先行期間を１カ月として作成すると、１月１日時点においては、１月１日から１月２９日までの５ページのスケジュールが作成される。これが順次、１月８日、１月１５日、１月２２日において、それぞれ、２月５日、２月１２日、２月１９日の分の新たなページが順次付加作成されることになる。そして、例えば２月１９日をページ発生有効期限として指定しておくと、それ以降のページは作成されないことになる。すなわち、１月２９日になっても、２月２６日の分のページは作成されない。
　【００５８】
　次に、図１５〜図２５を参照して、具体的な入力表示画面の例について説明する。
　【００５９】
　この実施例の場合、情報を書き込むためのページとして、アクション、コネクション、レポートの３種類のページが用意されている。アクションは所定の日付に所定の行為が行われる等の、予定を書き込むためのページであり、コネクションは住所、電話番号等を記入するためのページであり、レポートは思いついたアイディア、あるいは必要な事項をメモするためのページである。使用者は画面８の右側に表示されている、複数のボタン８４のうち、「カク」ボタン８４ｂをペン６でタッチすることにより、書くモードを設定させることが出来る。
　【００６０】
　この書くモードにおいては、図１５に示すように、アクション、コネクション、レポートのいずれかのページをペン６で選択することが出来るようになっている。図１５の実施例においては、アクションのページが開かれている状態を示している。アクション、コネクション、あるいはレポートのページを画面に表示させたい場合、ペン６によりそれらの文字が縦に表示されている領域を、ペン６でタッチすればよい。また、「ミル」ボタン８４ａをペン６でタッチすると、見るモードが設定され、図示はしていないが、日間、週間、月間、チェック、アクション、電話、住所、レポート、その他のページを任意に選択し、表示させることが出来るようになっている。アクション、コネクション、レポートの３つのページで書き込まれた情報は、見るモードにおいて、自由に見ることが出来るように、自動的に必要なページに、必要な情報が転記され、表示されるようになされている。
　【００６１】
　図１５においては、ボタン８４ｂが反転表示され、書くモードが設定されていることが分かるようになっている。画面の上部には、アイコン表示領域８１が設けられ、「カツジ」のアイコン８２ａ、「マイシュウ」のアイコン８２ｂ、「カレンダ」のアイコン８２ｃ等を含む、種々のアイコン８２が表示されている。アイコン表示領域８１の下の入力表示領域８３は、カテゴリーを記入する領域８３ａ、用件名を入力する領域８３ｂ、時間情報（日付及び時刻情報）を記入する領域８３ｃ、依頼者名を記入する領域８３ｄ、その他のメモを記入する領域８３ｅ、このページを作成した日付が自動的に表示される領域８３ｆ、この電子手帳装置の所有者の氏名を表示する領域８３ｇより構成されている。
　【００６２】
　領域８３ａの右側には、このページが複数枚存在する時、次のページ、または前のページに戻る時、操作されるためのボタン９２ａ、および９２ｂが設けられている。領域８３ｃの右側に表示されている日週間ボタン８８ａは、この領域８３ｃに入力表示された時間情報を日間、および週間スケジュールに繁栄させるか否かを選択するためのボタンである。このボタン８８ａをペン６でタッチし、その表示を黒く反転させた時、領域８３ｃに入力されたデータが日間、および週間スケジュールに自動的に反映されるようになされる。同様に、月間ボタン８８ｂ、及び年間ボタン８８ｃは、領域８３ｃに記入された時間情報を、月間スケジュール、及び年間スケジュールに反映させるか否かを選択するボタンである。領域８３ｄに表示されているボタン８５ａは、ここに書き込まれた予定が重要なものであるか否か、またボタン８５ｂは緊急のものであるか否かを指定するためのボタンである。また、ボタン８６はこれをオンすると、チェックリストが自動的に作成されるようになされる。また、ボタン８７はアイデアリストを作るか否か選択するためのボタンである。
　【００６３】
　使用者は、個々に行われるスケジュールを入力する場合、すなわち繰り返されないスケジュールを作成する場合、このアクションのページに直接、スケジュールを書き込むようにすればよい。このためには、アイコン「カツジ」８２ａにペン６でぺンダウンし、ペン６をそのまま下方に、入力表示領域８３の方向に引き出し、そこでペンアップすると、入力表示領域８３に活字プレート１１１（図１７）が表示される。これを用いて、所定の文字情報を入力すると、その活字プレート上に入力した文字情報が、入力表示領域８３上の所定の領域に、書き込まれることになる。
　【００６４】
　一方、繰り返し行われるスケジュールを作成する場合においては、使用者はペン６でアイコン「マイシュウ」８２ｂをペンダウンし、入力表示領域８３に引きずり出す。そして、入力表示領域８３でペンアップすると、図１６に示すように、そこに毎週、毎月のウインドウ８２ｂｗが拡大表示される。このウインドウは上述した、図１５におけるアクションのページと比較的似た構成とされている。すなわち、その一番上には、カテゴリーを記録する領域９１ａが設けられており、その右側にはウインドウが複数存在する場合、次のウインドウ、あるいは前のウインドウに進めるためのボタン９２ａ、および９２ｂが配置されている。
　【００６５】
　領域９１ｂは用件名を記載する領域である。領域９１ｃには、時間情報を入力するようになされている。ここには、ボタン９４ａ〜９４ｄが配置され、毎日モード、毎週モード、毎月１モード、または毎月２モードを、それぞれ適宜選択することが出来るようになっている。ウインドウ８２ｂｗをアイコン領域８１から引き出した時、初期状態においては、毎週ボタン９４ｂが選択されるようになされている。領域９５ａには予鈴の設定時間が表示され、領域９５ｂには予鈴の種類が表示されるようになされている。ボタン９６ａは、領域９５ａに表示される予鈴の時間を設定するためのボタンである。ボタン９６ｂは、領域９５ｂに表示される予鈴の種類を選択するためのボタンである。
　【００６６】
　ボタン９７ａは、その上の領域に「毎週」、または「隔週」の表示を切り替え表示させるためのボタンであり、ボタン９７ｂは、月曜日から日曜日までの曜日を設定するためのボタンである。またボタン９９は、「休日なら前の日」、「休日なら次の日」、または「空白」の表示を、そのボタンの上に表示させるためのボタンである。「空白」が設定された場合には、休日でもスケジュールが実行されることになる。ボタン９７ｃは、その上に表示されている開始時刻の時間を設定するためのボタンであり、ボタン９７ｄは、その上に表示されている開始時刻の分を所定の値に設定するためのボタンである。ボタン９７ｅは、開始時刻の分を、１５分、３０分、４５分または００分に、ペン６で１回タッチされる都度、変更するボタンである。ボタン１００ａ〜１００ｃは、終了時刻を設定するために設けられたボタンであり、それぞれ開始時刻を設定するボタン９７ｃ〜９７ｅに対応している。
　【００６７】
　領域９８ａには本鈴の種類が表示されており、ボタン９８ｂはその種類を設定するためのボタンである。領域１０１ａには、終鈴の種類が表示されており、この表示はその下に表示されているボタン１０１ｂを操作することにより、切り替えることが出来るようになっている。ボタン９３ａ〜９３ｃは、図１５におけるボタン８８ａ〜８８ｃに対応しており、領域９１ｃに設定した時間情報を日間、週間のスケジュール、月間のスケジュール、または年間のスケジュールにそれぞれ、反映させるか否かを選択するボタンである。
　【００６８】
　領域９１ｄには、依頼者の氏名を入力することが出来るようになっており、その右側には重要、または緊急の内容であるか否かを選択するためのボタン１０２ａ、および１０２ｂが設けられている。さらにその右側には、ボタン１０３と１０４が設けられ、チェックリストを作るか否か、あるいはアイデアリストを作るか否かの選択を行うことが出来るようになっている。領域９１ｅの左側には、５つのボタン１０５が設けられ、発生先行期間を１０日、１カ月、３カ月、６カ月、または１２カ月のいずれか１つに選択することが出来るようになっている。また、その右側にはページ発生有効期限が示されており、ボタン１０６ａ〜１０６ｃにより、年月日をそれぞれ所定の値に設定することが出来るようになされている。さらにその右側には、作成ボタン１０７ａ、消去ボタン１０７ｂ、取消ボタン１０７ｃが表示されており、これらの表示が不明瞭に表示されている時、そのボタンは動作不能あり、明瞭に表示されている時、そのボタンは動作可能となっていることを表している。
　【００６９】
　領域９１ａにカテゴリーを入力する時、領域９１ｂに用件名を入力する時、および領域９１ｄに依頼者名を入力する時、活字プレート１１１が必要になる。このため、使用者はペン６で入力表示領域８１に表示されている、「カツジ」のアイコン８２ａにペンダウンし、ペン６をそのままウインドウ８２ｂｗの方向にドラッグする。そしてウインドウ８２ｂｗの上でペンアップすると、図１７に示すように、活字プレート１１１が拡大表示される。活字プレート１１１には、枡目１１１ａが設けられており、この枡目１１１ａにペン６で手書き入力を行うと、そのストロークがパターン認識され、パターン認識された結果得られた文字がその枡目１１１ａに表示される。このパターン認識された結果得られた文字が正しければ、書き込みボタン１１１ｃをペン６でタッチすると、枡目１１１ａに表示されている文字が、ウインドウ８２ｂｗのカーソル１２１が位置する位置に書き込まれ、表示されることになる。このようにして、各領域に所定の文字を入力することが出来る。
　【００７０】
　所定の文字情報の入力が終了した時、再びペン６で活字プレート１１１にペンダウンし、ペン６をそのまま、アイコン表示領域８１に引きずっていき、アイコン表示領域８１上でペンアップすると、再びそこに「カツジ」のアイコン８２ａが収容されることになる。
　【００７１】
　次に、領域９１ｃの時間情報を設定する場合の操作について説明する。ボタン９４ａをペン６でタッチすると、そのボタン９４ａが反転表示され、毎日モードが設定される（図１８）。そしてこの時、領域９１ｃには毎日モードで設定するのに必要なボタンのみが表示される。ここでは、ボタン９７ａａが表示され、このボタン９７ａａを切り替えると、「平日はいつも」、「毎日」、または、「休日はいつも」の表示のいずれかを選択的に表示させることができる。
　【００７２】
　次に、ボタン９４ｂを選択し、毎週モードを設定すると、図１９に示すようにボタン９７ａ、９７ｂ、および９９が表示される。ボタン９７ａは、これを選択することにより表示を「毎週」、または「隔週」に切り替えることが出来る。ボタン９７ｂは、月曜日から日曜日までの曜日を選択するものである。ボタン９９は、「休日なら前の日」、「休日なら次の日」、または「空白」をその上に表示させるボタンである。実施例の場合、毎週月曜日、午後１時００分から午後３時００分まで係長ミーティングがあることが入力されており、この月曜日が休日の場合、次の日にこの係長ミーティングが移動されることを示している。そして予鈴として、開始時刻である午後１時の５分前（午後１２時５５分）にチャイムで知らせることが入力されている。また本鈴としては、午後１時にメロディが鳴らされることが入力されており、終鈴としては、午後３時に、「お時間です」というメッセージが流されることが入力されている。
　【００７３】
　図２０は、毎月１ボタン９４ｃを操作することにより、毎月１モードが設定されている状態を示している。この状態においては、ボタン９７ｂａが表示され、これにより１日から３１日までのいずれかの日、あるいは「月末」の表示のいずれかを切り替えることが出来るようになっている。また
ボタン９９
　【００７４】
　次に、図２１は毎月２のボタン９４ｄが操作され、毎月２モードが設定されている状態を示している。このモードにおいては、ボタン９７ａｂが表示されており、このボタン９７ａｂを操作することにより、「毎月第１」、「毎月第２」、「毎月第３」、「毎月第４」、「毎月第５」、または「毎月最後の」、の表示を選択することが出来るようになっている。ボタン９７ｂとボタン９９は、図１９における、毎週モードにおける場合と同様の機能を有していることになる。
　【００７５】
　例えば、図２１に示す状態で作成ボタン１０７ａをペン６でタッチすると、ウインドウ８２ｂｗに入力されている情報に対応する、複数のページが作成されることになる。図２２と図２３は、その一例を示している。図２２は、図２１における情報を基に作成された、２月１３日の日付におけるページであり、図２３は３月１３日の日付におけるページである。すなわち、図２１の実施例の場合、毎月第２水曜日の午前９時から不特定の時刻までの間に（「−−」は、特に時刻が指定されておらず、終了時刻にこのマークが用いられている場合においては、その日の２３時５９分までとして処理されることになっており、また開始時刻に用いられている場合には、その日の午前０時００分として処理されるようになされる）、送金手続きを行う旨が書き込まれており、発生先行期間が３カ月と指定されているので、１カ月後の対象日が２月１３日の水曜日であり、２カ月後の対象日が３月１３日の水曜日である。図２２と図２３は、これらに対応して生成されたページとなっている。実際には発生先行期間が３カ月とされているので、更に４月のページも作成されることになる。これらの各ページの情報は、その日付を除いて、すべて同一のものとなっている。
　【００７６】
　なお、図２１の状態において、作成ボタン１０７ａをタッチし、図２２および図２３に示すようなページを自動的に作成させた後、これらのページを見るには毎週、毎月のウインドウ８２ｂｗが邪魔になるので、このウインドウ８２ｂｗにペン６でペンダウンし、ペン６をそのままアイコン表示領域８１に移動させ、そこでペンアップすることにより、ウインドウ８２ｂｗをアイコン表示領域８１に、「マイシュウ」のアイコン８２ｂとして収容させる必要がある。このように、アイコン８２ｂをアイコン表示領域８１に収容した後、ボタン１１２ａまたは１１２ｂを操作することにより、今作成した複数のページのうちの任意のページを開き、見ることが可能になる。そして、必要に応じて任意のページだけを、訂正する必要があれば訂正すればよい。
　【００７７】
　図２４は、毎週月曜日の午前８時３０分から午前８時４５分まで、係ミーティングがあることをスケジュールしているウインドウである。このようにして、所定の情報を書き込んだ後、作成ボタン１０７ａをペン６でタッチすると、図２５に示すようなページが複数枚作成される。この実施例の場合、発生先行期間として１カ月が指定されているため、図２５に示すようなページが１カ月分作成されることになる。そして、タイマＩＣ５５の計時動作の進行に伴って、日付が進むと、その日付から１カ月分のページが順次、電源がオンされるたびに自動的に作成されることになる。そしてこの作成は、ページ発生有効期限として指定されている平成３年８月１５日まで継続され、この日付以降は、この「係ミーティング」のページは作成されないことになる。
　【００７８】
　作成ボタン１０７ａを操作して、ウインドウに対応するページを作成した後、消去ボタン１０７ｂを操作すると、この係ミーティングのページを作成するために書き込んだウインドウのデータが消去される。その後、取消ボタン１０７ｃを操作すると、消去ボタン１０７ｂの操作が取り消され、再びウインドウに前に書き込んだ情報が表示されることになる。
　【００７９】
　以上、本発明の実施例を、電子手帳装置に応用した場合について説明したが、本発明はＶＴＲ、あるいはタイマ装置等に応用することも可能である。
　【００８０】
　また以上においては、毎日、毎週、毎月１（「毎月」＋「日付」）、または毎月２（「毎月」＋「曜日」）の４つのモードに分類するようにしたが、この分類はこれらに限定されるものではなく、また各分類における、条件の組み合わせも任意である。
　【００８１】
　【発明の効果】
　以上のごとく、本発明の情報入力装置および方法、並びに情報処理装置によれば、
選択される前のモードにおける判定条件設定表示から、選択された
で条件を設定するのに必要な判定条件設定表示
判定条件設定表示
【図面の簡単な説明】
　【図１】
　本発明の情報入力装置を応用したポータブルコンピュータの一実施例の構成を示す斜視図である。
　【図２】
　図１の実施例における画面の構成例を示す断面図である。
　【図３】
　図２の実施例における蛍光板の一実施例の構成を示す断面図である。
　【図４】
　図１の実施例におけるタブレットとＬＣＤの電気的接続関係を示すブロック図である。
　【図５】
　図１の実施例における全体の電気的構成を示すブロック図である。
　【図６】
　図５の実施例の動作を説明するフローチャートである。
　【図７】
　図５の実施例の動作を説明するフローチャートである。
　【図８】
　図５の実施例の動作を説明するフローチャートである。
　【図９】
　図５の実施例の動作を説明するフローチャートである。
　【図１０】
　図５の実施例の動作を説明するフローチャートである。
　【図１１】
　図５の実施例の動作を説明するフローチャートである。
　【図１２】
　図５の実施例の動作を説明するフローチャートである。
　【図１３】
　図５の実施例の動作を説明するフローチャートである。
　【図１４】
　図５の実施例の発生先行期間の説明をする図である。
　【図１５】
　図５の実施例の動作を説明する入力画面の図である。
　【図１６】
　図５の実施例の動作を説明する入力画面の図である。
　【図１７】
　図５の実施例の動作を説明する入力画面の図である。
　【図１８】
　図５の実施例の動作を説明する入力画面の図である。
　【図１９】
　図５の実施例の動作を説明する入力画面の図である。
　【図２０】
　図５の実施例の動作を説明する入力画面の図である。
　【図２１】
　図５の実施例の動作を説明する入力画面の図である。
　【図２２】
　図５の実施例の動作を説明する入力画面の図である。
　【図２３】
　図５の実施例の動作を説明する入力画面の図である。
　【図２４】
　図５の実施例の動作を説明する入力画面の図である。
　【図２５】
　図５の実施例の動作を説明する入力画面の図である。
　【図２６】
　図５の実施例におけるウインドウとページの関係を説明する図である。
　【符号の簡単な説明】
　６　ペン
　８　画面
　２１　タブレット
　２２　ＬＣＤ
　４１　ＣＰＵ
　５３　バックアップＲＡＭ
　８１　アイコン表示領域
　８２　アイコン
　１１１　活字プレート